(57)【特許請求の範囲】
【請求項１】
(a)回転子と、(b)前進運動により自身の駆動カム面を該回転子の第１従動カム面に当接させ、カム作用で該回転子を第１ストッパ位置まで所定角度回転駆動する駆動子と、(c)付勢手段による該回転子の後退方向の付勢力で自身の案内カム面を該回転子の第２従動カム面に当接させ、カム作用で該回転子を前記回転駆動の方向と同方向に第２ストッパ位置又は後退許容位置まで更に回転させ、該回転子の１回の回転運動ごとに該回転子に対する該第２ストッパ位置でのロックと後退運動を許容するロック解除とを交互に行うロック部と、を備えたスラストロック機構を有し、該回転子の前進及び後退に伴って弁体を前進及び後退運動させるとともに前進位置と後退位置とに該弁体を交互に位置保持するようになした水栓において
前記第１従動カム面の傾斜角度を、前記第２従動カム面の傾斜角度よりも小角度となしたことを特徴とする水栓。
【請求項２】
請求項１において、前記駆動カム面と前記第１従動カム面の傾斜角度を異ならせたことを特徴とする水栓。
【発明の詳細な説明】
【技術分野】
【０００１】
この発明は水栓に関し、詳しくはスラストロック機構により弁体を前進位置と後退位置とに位置切換えし且つそれぞれの位置に位置保持するようになした水栓に関する。
【背景技術】
【０００２】
従来、スラストロック機構を備え、そのスラストロック機構により弁体を前進位置と後退位置とに位置切換えし且つそれぞれの位置に位置保持するようになした水栓が公知である。
例えば下記特許文献１にこの種のスラストロック機構を備えた水栓が開示されている。
【０００３】
ここでスラストロック機構は、(a)回転子と、(b)前進運動により自身の駆動カム面を回転子の第１従動カム面に当接させ、カム作用で回転子を第１ストッパ位置まで所定角度回転駆動する駆動子と、(c)付勢手段による回転子の後退方向の付勢力で自身の案内カム面を回転子の第２従動カム面に当接させ、カム作用で回転子を上記回転駆動の方向と同方向に第２ストッパ位置又は後退許容位置まで更に回転させ、回転子の１回の回転運動ごとに回転子に対する第２ストッパ位置でのロックと後退運動を許容するロック解除とを交互に行うロック部とを備え、回転子の前進及び後退に伴って弁体を前進及び後退運動させるとともに前進位置と後退位置とに弁体を交互に位置保持する。
【０００４】
しかしながら従来のスラストロック機構付きの水栓の場合、駆動子の前進運動により回転子が駆動カム面と第１従動カム面とのカム作用で第１ストッパ位置まで勢いよく回転させられて、そのときに発生する衝突音が大きな動作音として発生してしまうといった問題がある。
このように動作音が大きいと、特に狭い浴室や洗面室等で水栓を使用したときに動作音が目立ち、使用者に不快な感じを与えてしまう。
【０００５】
一方動作音を小さくしようとしてスラストロック機構に代えハートカム機構を用いた場合、動作時のクリック感（節度感）が不足して頼りなく、水栓操作時の操作感（操作フィーリング）が悪化して、使用者に対し低級感を与えてしまう。
【０００６】
【特許文献１】特開２００１−９８５９６号公報
【発明の開示】
【発明が解決しようとする課題】
【０００７】
本発明は以上のような事情を背景とし、スラストロック機構を動作させたときの動作音を小さくし得、且つ適正なクリック感（節度感）を確保し得て、操作感の良好なスラストロック機構付の水栓を提供することを目的としてなされたものである。
【課題を解決するための手段】
【０００８】
而して請求項１のものは、(a)回転子と、(b)前進運動により自身の駆動カム面を該回転子の第１従動カム面に当接させ、カム作用で該回転子を第１ストッパ位置まで所定角度回転駆動する駆動子と、(c)付勢手段による該回転子の後退方向の付勢力で自身の案内カム面を該回転子の第２従動カム面に当接させ、カム作用で該回転子を前記回転駆動の方向と同方向に第２ストッパ位置又は後退許容位置まで更に回転させ、該回転子の１回の回転運動ごとに該回転子に対する該第２ストッパ位置でのロックと後退運動を許容するロック解除とを交互に行うロック部と、を備えたスラストロック機構を有し、該回転子の前進及び後退に伴って弁体を前進及び後退運動させるとともに前進位置と後退位置とに該弁体を交互に位置保持するようになした水栓において、前記第１従動カム面の傾斜角度を、前記第２従動カム面の傾斜角度よりも小角度となしたことを特徴とする。
【０００９】
請求項２のものは、請求項１において、前記駆動カム面と前記第１従動カム面の傾斜角度を異ならせたことを特徴とする。
【発明の作用・効果】
【００１０】
以上のように本発明は、スラストロック機構付の水栓において、駆動子の駆動カム面に当接する回転子の第１従動カム面の傾斜角度を、ロック部の案内カム面に当接する第２従動カム面の傾斜角度よりも小角度となしたものである。
【００１１】
即ち、従来にあっては第１従動カム面の傾斜角度と第２従動カム面の傾斜角度とを同じとなしていたのに対し、本発明では第１従動カム面の傾斜角度を第２従動カム面のそれよりも小角度となしたもので、かかる本発明によれば、駆動子の前進運動により回転子が駆動カム面と第１従動カム面とのカム作用で第１ストッパ位置まで回転する際の勢いを弱くすることができ、回転子を第１ストッパ位置で停止させる際の衝突音、即ち動作音を小さくすることができる。
【００１２】
従ってスラストロック機構付の水栓を狭い浴室や洗面室等で使用した場合に、大きな動作音が発生して使用者に不快感を与えてしまう問題を解決でき、使用者は快適に水栓を使用できるようになる。また本発明ではスラストロック機構を用いることで、動作時に適正なクリック感をもたせることができる。
尚、付勢手段による回転子の後退方向の付勢力に基づいて、ロック部の案内カム面と回転子の第２従動カム面とのカム作用で回転子が第２ストッパ位置まで回転する際にも動作音が発生するが、このときの動作音を小さくしようとして第２従動カム面の傾斜角度を第１従動カム面に合せて小角度としてしまうと、回転子を同方向に回転させるための力が弱くなって回転子の回転の動きが悪化してしまう恐れが生ずる。
【００１３】
駆動子の前進運動によって回転子を回転駆動する際、回転子に対しては駆動子の前進方向の力と、付勢手段による後退方向の力とが両方向から作用し、それらが回転子を回転させるための力として作用することとなるが、ロック部における案内カム面のカム作用で回転子を回転させる際には、付勢手段の後退方向の力が回転子に対して働くだけとなり、このときに第２従動カム面の傾斜角度が小角度であると、回転力が弱くなることによって回転子が円滑に回転しなくなる恐れが生ずる。
しかるに本発明では、第２従動カム面の傾斜角度を第１従動カム面の傾斜角度に対して大角度に確保しておくことで、案内カム面と第２従動カム面とのカム作用により回転子を回転させる際に円滑な回転を確保することができる。
【００１４】
本発明においては、駆動子側の駆動カム面と回転子側の第１従動カム面の傾斜角度を異ならせておくことができる（請求項２）。
このようにしておけば、駆動カム面と第１従動カム面とを面接触ではなく線接触させることができ、面接触に対して接触抵抗を低減して回転子をより安定して回転動作させることができる。
この場合において駆動カム面の傾斜角度を、第１従動カム面の傾斜角度よりも大角度となしておくことができる。
このようにすれば、第１従動カム面の傾斜角度を小さくしつつ、駆動カム面と第１従動カム面とのカム作用による回転子の回転の駆動力を効果的に大きくすることができる。
【発明を実施するための最良の形態】
【００１５】
次に本発明の実施形態を図面に基づいて詳しく説明する。
図１は、パイロット式に吐止水及び流量調節（流調）を行う水栓の要部を表したもので、図中１０はその水栓におけるボデーで、その内部に主水路を形成する１次側の流入水路１２，２次側の流出水路１４が形成されている。
【００１６】
この実施形態では、弁機構全体が単一のユニットとして着脱可能な弁カートリッジ１６として構成されている。同図中１８はその弁カートリッジ１６のカートリッジケースで、このカートリッジケース１８は、上部１８-１と下部１８-２とに分割されており、そしてそれらがカートリッジケース１８の中間部をなす後述の背圧室形成部材５４にて弾性的に連結されている。
弁カートリッジ１６は、ボデー１０内部に挿入された状態で、ボデー１０への固定ナット１９のねじ込みにより抜止状態に固定されている。
【００１７】
図１において、２０は主水路上に設けられたダイヤフラム弁からなる主弁で、樹脂製の硬質の主弁本体２２と、これにより保持されたゴム製のダイヤフラム膜２４とからなっている。
【００１８】
この主弁２０は、主弁座２５に対して図中上下方向に進退移動して主水路を開閉し、また主水路の開度を変化させる。
詳しくは、主弁座２５への着座によって主水路を遮断し、また主弁座２５から図中上向きに離間することによって主水路を開放する。
また主弁座２５からの離間量に応じて主水路の開度を大小変化させ、主水路を流れる水の流量即ち吐水部からの流量を調節する。
【００１９】
この主弁２０の図中上側の背後には背圧室２６が形成されている。
背圧室２６は、内部の圧力を主弁２０に対して図中下向きの閉弁方向の押圧力として作用させる。
主弁２０には、これを貫通して１次側の流入水路１２と背圧室２６とを連通させる導入小孔２８が設けられている。
この導入小孔２８は、流入水路１２からの水を背圧室２６に導いて背圧室２６の圧力を増大させる。
【００２０】
主弁２０にはまた、これを貫通して背圧室２６と２次側の流出水路１４とを連通させる水抜水路としてのパイロット水路３０が設けられている。
このパイロット水路３０は、背圧室２６内の水を流出水路１４に抜いて、背圧室２６の圧力を減少させる。
【００２１】
図１に示しているように、主弁２０にはその中心部においてこれを軸心方向に貫通する貫通孔が設けられており、そこに吐止水パイロット弁及び流調パイロット弁を兼ねた共通のパイロット弁３４が挿通され、このパイロット弁３４の外周面と貫通孔の内周面との間に、通路幅が狭小な環状をなす上記パイロット水路３０が形成されている。
【００２２】
この主弁２０には、図４及び図５にも示しているように貫通孔の内周面に沿って主弁２０の軸心周りに環状をなすパイロット弁座３６が一体に設けられている。
３８はこのパイロット弁座３６におけるシール部で、環状溝内部に環状をなす弾性シールリングとしてのＯリング４０を保持ししている。
【００２３】
上記パイロット弁３４は、このパイロット弁座３６に対し主弁２０の軸心に沿って図中上下方向に進退移動可能に嵌合するようになっている。
詳しくは、このパイロット弁３４は、断面円形をなし且つ図中上下方向即ち進退方向において外径が同径のシール部４２と、その下側（図中下側）の環状の凹所４４とを有している。
環状の凹所４４の軸方向の各端部は、凹所４４の最小径部に向かって漸次小径となるテーパ面とされており、そのテーパ面の大径側の各端部に段付部４８，５０が形成されている。
【００２４】
尚、図１はパイロット弁３４の止水時の状態を表しており、このときパイロット弁３４は、シール部４２をＯリング４０を介してパイロット弁座３６に対し全周に亘って径方向に弾性接触させ、パイロット弁３４とパイロット弁座３６との間を水密にシールした状態にある。
またこのとき主弁２０は主弁座２５に着座した状態にあって、主水路は閉鎖された状態にある。
【００２５】
図４，図５はパイロット弁３４の移動による流調（流量調節）時の作用を表している。
この実施形態では、流調の際にパイロット弁３４はパイロット水路３０を閉鎖することはなく、その移動によってパイロット水路３０の開度だけを変化させる。
後述の回転スリーブ８４に対する回転操作量がそのように規制されている。
【００２６】
この実施形態では、図４（Ｉ）に示しているようにパイロット弁３４が図中上向きに後退移動すると、パイロット弁３４とパイロット弁座３６との間の隙間が大となり、背圧室２６内の水がパイロット水路３０を通じて流出水路１４側に多く抜け出して背圧室２６の圧力が減少する。
そこで主弁２０が流入水路１２との圧力差により図中上向きに後退移動し、そして図４（II）に示しているように、流入水路１２の圧力と背圧室２６の圧力とがバランスする位置で主弁２０の後退移動が停止する。
即ち、主弁２０がパイロット弁３４の後退移動に追従するようにして共に後退移動し、そしてパイロット弁３４の停止とともに主弁２０もまた停止する。
【００２７】
この主弁２０の後退移動によって主弁２０と主弁座２５との間の隙間が大となり、流入水路１２から流出水路１４への水の流入量が増大する。
【００２８】
この状態からパイロット弁３４が更に図中上向きに後退移動させられると、背圧室２６の圧力と流入水路１２との圧力をバランスさせるようにして、主弁２０がパイロット弁３４の後退移動に追従して後退移動し、主水路の開度を更に広くして主水路を流れる水の流量を増大させる（図４(III)参照）。
【００２９】
一方パイロット弁３４が、図５（Ｉ）に示しているように図中下向きに前進移動すると、パイロット弁３４とパイロット弁座３６との間、詳しくはパイロット弁３４におけるシール部４２とパイロット弁座３６に保持されたＯリング４０との間の隙間が小さくなって、即ちパイロット水路３０の開度が小さくなって、背圧室２６から流出水路１４に抜ける水の量が少なくなり背圧室２６の圧力が増大する。
【００３０】
このため、その増大した圧力により主弁２０が今度は図中下向きに前進移動して、背圧室２６の圧力と流入水路１２との圧力をバランスさせる位置で停止する。
このとき主弁２０と主弁座２５との間の隙間は小さくなって、即ち主水路の開度が小さくなって、主水路を流れる水の流量が減少する（図５（II）参照）。
【００３１】
そしてこの状態から更にパイロット弁３４が図中下向きに前進移動すると主水路の開度が更に小さくなり、主水路を流れる水の流量が更に減少する（図５（III）参照）。
【００３２】
図１において、５４は背圧室形成部材で逆カップ状を成しており、その内側に上記の背圧室２６を形成している。
この背圧室形成部材５４はまた、主弁押えとしての働きもなしている。
【００３３】
この背圧室形成部材５４には、一対の弾性を有する環状のシールリングとしてのＯリング５２が保持されている。
これらＯリング５２は、後述の作用軸６０における第１軸部６２の外周面に全周に亘り弾性接触して、第１軸部６２と背圧室形成部材５４との間、即ち背圧室２６との間を水密にシールする。
尚、カートリッジケース１８における下部１８-２にもまたその外周面にＯリング５６が保持されており、このＯリング５６にてボデー１０との間が水密にシールされている。
【００３４】
図１において、６０は加えられた操作力に基づいてパイロット弁３４を作用させる作用軸で、この作用軸６０は、一様な円形断面且つ一様な外径で軸方向に延びる制御軸部としての第１軸部６２と、筒状をなす第２軸部６４とに軸方向に２分割されている。
そしてその制御軸部としての働きをなす第１軸部６２の図中下部に上記のパイロット弁３４が一体に構成されている。
この筒状の第２軸部６４には、その内周面に雌ねじ６６が設けられている。
【００３５】
一方第１軸部６２は、その上端部にボールジョイント６７にて３次元的に相対移動可能な大径の頭部６８を有しており、その頭部６８の外周面に雄ねじ７０が設けられている。
そしてこの第１軸部６２の雄ねじ７０が第２軸部６４の雌ねじ６６に螺合されている。
【００３６】
この作用軸６０は、雌ねじ６６と雄ねじ７０とのねじ送り作用で第１軸部６２が図中上下方向に進退移動する。
即ち、作用軸６０全体が雌ねじ６６と雄ねじ７０とのねじ送りによって全体的に伸縮するようになっている。
【００３７】
尚第１軸部６２側の頭部６８には、図２に示しているように互いに平行をなす平坦な係合面７２が形成されており、この係合面７２を回止め部材７６の一対の挟持片７４が挟持しており、これら挟持片７４の挟持作用によって、第１軸部６２が回転防止されている。
即ちこの回止め部材７６の回転防止作用によって、第２軸部６４の回転により第１軸部６２が図中上下方向に進退移動させられる。
そしてこの第１軸部６２の図中上下方向の進退移動に伴って、その先端側に一体に構成された上記のパイロット弁３４が一体に図中上下方向に進退移動させられ、これによりパイロット弁３４の位置が同方向に変化せしめられる。
【００３８】
ここで回止め部材７６は円形の台座部７８を有しており、この台座部７８が、その下側の背圧室形成部材５４に固定されている。
【００３９】
図１において８０は、作用軸６０における第１軸部６２、即ちそこに一体に構成されたパイロット弁３４を駆動する働きをなす駆動機構で、有底円筒形状をなす押ボタン（駆動子）８２と、回転スリーブ（ロック部）８４及びスラストロック機構の要素を成す回転子８６とを有している（図２参照）。
回転スリーブ８４は、回転によりパイロット弁３４を図４及び図５に示しているように前進及び後退運動させることにより、主弁２０をこれに追従して移動させ流量調節を行う部分で、また押ボタン８２は、１回の押込みごとにパイロット弁３４を前進位置である閉弁位置と上昇位置である開弁位置とに位置切換えするための部分である。
【００４０】
回転スリーブ８４は、図１に示しているようにその下部がカートリッジケース１８における上部１８-１に内嵌状態で回転可能且つ抜止状態に組み付られている。
押ボタン８２は、回転スリーブ８４に内嵌されて回転スリーブ８４に対し軸方向即ち図中上下方向に移動可能とされている。
この押ボタン８２の外周面には縦の突条８７が回転スリーブ８４の内面の縦の凹条８８に嵌り込んでおり、押ボタン８２が回転スリーブ８４の回転とともに一体に回転するようになっている。
即ち回転スリーブ８４の回転運動が押ボタン８２に伝えられるようになっている。
【００４１】
尚この押ボタン８２にはまた、その内周面に縦の凹条９０が形成されていて、そこに作用軸６０における雌ねじ部材としての第２軸部６４の外周面に設けられた縦の突条９１が嵌り込んでおり、第２軸部６４が押ボタン８２と一体に回転するようになっている。
即ち回転スリーブ８４を回転させると、その回転運動が押ボタン８２を介して第２軸部６４に伝えられて、第２軸部６４が回転運動する。
尚、押ボタン８２の外周面にはガイド突起９２が設けられている。
このガイド突起９２は、回転スリーブ８４の嵌入溝９４に嵌入して押ボタン８２の上下方向の摺動時の案内をなす。
【００４２】
押ボタン８２の下端には、図３にも示しているように山形状をなす係合歯９６が周方向に沿って所定ピッチで連設されている。
この係合歯９６の下面には、直下の回転子８６を押ボタン８２の上下動即ち下向きの前進移動と上向きの後退移動とによってカム作用で回転させるための駆動カム面９８が形成されている。
【００４３】
回転子８６はリング状の部材から成るもので、周方向の複数箇所（ここでは４箇所）に、図中上向きに山形状に突出する係合歯１００が設けられている。
また周方向の同じ箇所においてその外側に突出する形態で鋸歯状をなす係合歯１０２が、同じく上向きに設けられている。
【００４４】
内側の係合歯１００は、一方の斜辺に沿った上面が押ボタン８２の駆動カム面９８に対応した第１従動カム面１０４とされている。
ここで第１従動カム面１０４の傾斜角度θ１はここでは、押ボタン８２側の駆動カム面９８と同一角度とされている。
【００４５】
一方外側の係合歯１０２においてもまた、その斜辺に沿った上面が角度θ２で傾斜した第２従動カム面１０６とされている。
この実施形態では、第１従動カム面１０４と第２従動カム面１０６との傾斜角度が異ならせてあり、第２従動カム面１０６の傾斜角度θ２が急角度をなし、これに対して第１従動カム面１０４の傾斜角度θ１が小角度とされている。
【００４６】
この回転子８６は、図２及び図１に示しているようにその下面を第２軸部６４の外向きのフランジ部１０８の上面にて支持されており、かかるフランジ部１０８の上面を図３で示す矢印方向に回転摺動する。
図１及び図２に示しているように、第２軸部６４のフランジ部１０８の下面には金属製のコイルスプリング（付勢手段）１１０の上端が当接させられており、かかるコイルスプリング（以下単にスプリングとする）１１０による付勢力が第２軸部６４に対して上向きに及ぼされている。即ちこの第２軸部６４を介して回転子８６、押ボタン８２に対して、更には第２軸部６４に螺合された第１軸部６２に対し、スプリング１１０による付勢力が後退方向の上向きに及ぼされている。
【００４７】
上記回転スリーブ８４には、図３に詳しく示しているようにその上部内周面にガイド部１１２が内方に突出する状態で設けられている。
このガイド部１１２は下端に係合歯１１４を有している。
この係合歯１１４の下面にもまた、回転子８６をカム作用で回転させるための、回転子８６の第２従動カム面１０６に対応した傾斜形状の案内カム面１１６が形成されている。
ここで案内カム面１１６の傾斜角度は、回転子８６の第２従動カム面１０６と同じ傾斜角度とされている。
このガイド部１１２にはまた、上記のように上下方向に延びる嵌入溝９４が周方向に所定間隔で形成されている。回転子８６は外方への突出形状をなす係合歯１０２を嵌入溝９４に位置させる回転位置となったとき、かかる係合歯１０２を嵌入溝９４の内部に嵌入させることによって図中上方への後退運動が許容される。
【００４８】
一方係合歯１１４は、係合歯１０２に噛み合ってこれをその前進状態、即ち図中下降状態に保持してロックする働きをなす。即ちパイロット弁３４を閉弁位置に保持してロックする働きをなす。
本実施形態では、図３に示すガイド部１１２及びこれを備えた回転スリーブ８４、下端に係合歯９６及び駆動カム面９８を備えた押ボタン８２、その直下の回転子８６、更にこれらを上向きに付勢するスプリング１１０等にてスラストロック機構が構成されている。
【００４９】
この実施形態では、第２軸部６４の下側に、押ボタン８２の押し込み時に回転子８６を強制回転させる機能を備えた強制回転リング１１８が設けられている。
この強制回転リング１１８は、図１に示すように回止め部材７６の台座部７８上に載置されている。
この強制回転リング１１８は、全体として円筒形状をなしているとともに，その下端には内向きのフランジ部１２０が設けられていて、このフランジ部１２０と、第２軸部６４の外向きのフランジ部１０８との間にスプリング１１０が介装されている。
【００５０】
この強制回転リング１１８はまた、そのフランジ部１２０がスリップワッシャとしての働きもなしており、回転スリーブ８４の回転時，即ちこれと一体に回転する第２軸部６４の回転時に、強制回転リング１１８が回止め部材７６の台座部７８上をスリップ回転して、第２軸部６４の回転に伴ってスプリング１１０が捩れ変形するのを防止する。
その結果として、スプリング１１０の上向きの弾発力を、設定した適性な弾発力で作用させることができる。
【００５１】
この強制回転リング１１８には、その上端に沿って周方向に所定間隔で複数の爪１２２が上向きに突出状態で一体に設けられている。これら爪１２２の上面は傾斜形状のカム面１２４とされている。
これらカム面１２４は、押ボタン８２により回転子８６に対して下向きの力が及ぼされたとき、回転子８６の突出形状の第２係合歯１０２の下面のコーナー部１２６（図３参照）に当接して、回転子８６をそのカム作用で強制的に図３中反時計方向に回転させる働きをなす。
【００５２】
但し回転子８６はその回転抵抗、即ち第２軸部６４におけるフランジ部１０８の上面に対する摺動抵抗、及び押ボタン８２の駆動カム面９８に対する摺動抵抗が小さいときには、スプリング１１０の付勢力に基づいて、強制回転リング１１８のカム面１２４に接する前に、押ボタン８２の駆動カム面９８と、回転子８６の第１従動カム面１０４とのカム作用で、強制回転リング１１８のカム面１２４に接する前に回転運動する。
【００５３】
しかしながら回転子８６は長期使用すると、摺動面で発生する磨耗粉などによって摺動抵抗が次第に増大するようになる。
そこで押ボタン８２を下向きに押しても、回転子８６が軽く円滑に回転しない恐れが生じてくる。
このとき、回転子８６が円滑に回転しない場合であっても、押ボタン８２を下向きに強く押し込むと、回転子８６の係合歯１０２のコーナー部１２６が、強制回転リング１１８のカム面１２４に当ることによって、回転子８６が強制回転リング１１８のカム面１２４により強制的に回転駆動される。
【００５４】
本実施形態では、回転スリーブ８４を直接に又は別途に設けた操作部材を介して回転させると、これと一体に作用軸６０における第２軸部６４が回転し、そしてその回転により雌ねじ６６と雄ねじ７０とのねじ送りにて作用軸６０の第２軸部６２が、即ちパイロット弁３４が図１中上下方向に進退移動し、これにより流量調節が行われる。
一方押ボタン８２を押込操作すると、1回の押し込みごとにパイロット弁３４が図６に示す下降位置である閉弁位置と、図７に示す上昇位置である開弁位置とに位置切換えされ、且つスラストロック機構によりそれぞれの位置に位置保持される。
【００５５】
図８及び図９は、押ボタン８２に対する1回の押し込みごとに、パイロット弁３４を閉弁位置と開弁位置とに位置切換えし且つそれぞれに位置保持するスラストロック機構の作用を具体的に表している。
図８（Ｉ）はパイロット弁３４の閉弁状態即ち止水状態を表しており、このとき回転子８６における係合歯１０２が回転スリーブ８４のガイド部１１２の係合歯１１４に噛み合った状態にあって、回転子８６は図１中の下降位置即ち前進位置にロック状態に保持される。即ちパイロット弁３４が閉弁状態に保持される。
【００５６】
この状態で（II）に示しているように押ボタン８２を図中下向に押し込むと、回転子８６がスプリング１１０による上向きの付勢力に抗して下向きに押し下げられ、回転子８６の係合歯１０２とガイド部１１２の係合歯１１４との係合が外れる。
すると押ボタン８２の駆動カム面９８と回転子８６の第１従動カム面１０４とのカム作用で、回転子８６が図中左方向に所定角度回転させられ、そして押ボタン８２の係合歯９６と回転子８６の係合歯１００とが丁度噛み合った位置（第１ストッパ位置）で回転停止させられる。図８（III）（Ａ）はこのときの状態を表している。
【００５７】
このとき、（III）（Ｂ）に示しているように回転子８６の第２従動カム面１０６はガイド部１１２の回転方向の次の案内カム面１１６に対向した状態となり、そこで（IV）に示しているように回転子８６に加えていた押込力を除くと、スプリング１１０の付勢力で回転子８６が押ボタン８２及び第２軸部６４即ち作用軸６０とともに微小距離上昇して係合歯１０２の第２従動カム面１０６が、ガイド部１１２の案内カム面１１６に当接する。
【００５８】
そしてそれら案内カム面１１６と第２従動カム面１０６とのカム作用で回転子８６が更に同図中矢印で示す方向に回転移動して、図８（Ｖ）（Ｂ）に示すように係合歯１０２がガイド部１１２の嵌入溝９４の位置に至る。
ここにおいて係合歯１０２が嵌入溝９４に嵌入するに至って、回転子８６が押ボタン８２及び作用軸６０とともにスプリング１１０の付勢力によって上向きに後退運動させられ（図９（VI））、パイロット弁３４が開弁状態（吐水状態）となって主水路に水の流れが生じ、水栓における吐水部からの吐水が行われる。
【００５９】
この開弁状態から再び押ボタン８２を押し込むと、回転子８６が上昇位置から下降せしめられ、そして係合歯１０２が嵌入溝９４から外れると、回転子８６が駆動カム面９８と第１従動カム面１０４とのカム作用で、図９（VII）中矢印方向（左方向）に回転移動して、回転子８６の係合歯１００が押ボタン８２の回転方向の次の係合歯９６に噛み合うに至って、ここに回転子８６の次の１ピッチの回転運動がそこで停止せしめられる（図９（VIII））。
【００６０】
この状態で押ボタン８２に対する押込力を除くと、スプリング１１０の付勢力で回転子８６が最下位置から微小距離上昇して、係合歯１０２の第２従動カム面１０６がガイド部１１２の案内カム面１１６に当接するに至り（図９(IX)）、更にそれらのカム作用で回転子８６が引き続いて図中左方向に回転移動して、回転子８６の係合歯１０２がガイド部１１２の次の係合歯１１４に噛み合う位置（第２ストッパ位置）となり、ここに回転子８６の回転動がそこで停止させられる（図９（Ｘ））。
この図９（Ｘ）に示す状態は、図８（Ｉ）に示すのと同じ状態であって、ここに水栓が止水状態となる。
【００６１】
以上のような本実施形態によれば、回転子８６における第１従動カム面１０４の傾斜角度が、第２従動カム面１０６の傾斜角度に対して小角度とされているため、押ボタン８２の前進運動により回転子８６が駆動カム面９８と第１従動カム面１０４とのカム作用で回転する際の勢いを弱くすることができ、回転子８６の回転停止時の衝突音即ち動作音を小さくすることができる。
【００６２】
従って本実施形態のスラストロック機構付の水栓を狭い浴室や洗面室等で使用した場合に、大きな動作音が発生して使用者に不快感を与えてしまう問題を解決でき、使用者は快適に水栓を使用できるようになる。
またこの実施形態のものはスラストロック機構を用いていることから、動作時に適正なクリック感を持たせることができる。
【００６３】
一方で回転子８６の第２従動カム面１０６の傾斜角度は第１従動カム面１０４の傾斜角度に対して大角度とされているため、回転子８６をガイド部１１２の案内カム面１１６と回転子８６の第２従動カム面１０６とのカム作用で回転させる際の回転力を大となし得て、回転子８６の円滑な回転を確保することができる。
【００６４】
以上本発明の実施形態を詳述したがこれはあくまで一例示である。
例えば上記実施形態では回転子８６における第１従動カム面１０４の傾斜角度と、押ボタン８２の駆動カム面９８との傾斜角度を同角度としているが、それらの傾斜角度を異ならせることも可能である。
この場合それらのカム面が面接触では無く、線接触の状態となり面接触に対して接触抵抗を低減して回転子８６をより安定して回転動作させることができるのに加えて、回転子８６の係合歯１００が押ボタン８２の係合歯９６に対する噛み合い位置で回転停止する際の衝突を面と線との衝突となし得（各係合歯９６，１００の山形状が異なる）、回転停止時の衝突音即ち動作音を更に小さくすることが可能となる。
その他本発明は、その趣旨を逸脱しない範囲において種々変更を加えた形態で構成可能である。
【図面の簡単な説明】
【００６５】
【図１】本発明の一実施形態の水栓の要部を示す図である。
【図２】同実施形態の要部の各部材を分解して示す図である。
【図３】図２の更に要部を拡大して示す図である。
【図４】同実施形態の作用説明図である。
【図５】図４に続く作用説明図である。
【図６】同実施形態の他の作用説明図である。
【図７】図６とは異なる作用状態を示す作用説明図である。
【図８】同実施形態におけるスラストロック機構の作用説明図である。
【図９】図８に続く作用説明図である。
【符号の説明】
【００６６】
３４  パイロット弁
８２  押ボタン（駆動子）
８４  回転スリーブ（ロック部）
８６  回転子
９８  駆動カム面
１０４  第１従動カム面
１０６  第２従動カム面
１１６  案内カム面
【図１】
0004695019.tif 000002
【図２】
0004695019.tif 000003
【図３】
0004695019.tif 000004
【図４】
0004695019.tif 000005
【図５】
0004695019.tif 000006
【図６】
0004695019.tif 000007
【図７】
0004695019.tif 000008
【図８】
0004695019.tif 000009
【図９】
0004695019.tif 000010